(57)【要約】【課題】携帯電話器ユーザ間のコミュニケーション形態をより豊かなものにする。【解決手段】携帯電話器１のバイブ要求出力部２２は、通話中に「バイブ要求」ボタンが押下されたとき、通話先の携帯電話器のバイブレータを動作させるバイブ要求を基地局１００に送信する。また、バイブ要求出力部２２は、ユーザの声の音声レベルが音声レベル閾値計算部２４により算出された閾値を超えたときも、バイブ要求を基地局１００に送信する。基地局１００の振動コマンド送信手段は、携帯電話器１からのバイブ要求に応じて、通話先の携帯電話器に振動コマンドを送信する。通話先の携帯電話器のバイブレータ制御部３０は、振動コマンドを受信すると備付けのバイブレータを動作させる。【選択図】　　　　　図３
2004072292.tif 000002
【特許請求の範囲】
【請求項１】
第１の携帯電話器と、第２の携帯電話器と、前記携帯電話器間の通話を中継する中継装置とからなる携帯電話システムであって、
前記第１の携帯電話器が、バイブレータと、前記中継装置からの振動コマンドに応じて前記バイブレータを動作させるバイブレータ制御手段とを備え、
前記第２の携帯電話器が、前記第１の携帯電話との通話中に前記第１の携帯電話器のバイブレータを動作させる要求を前記中継装置に送信するバイブレータ動作要求手段を備え、
前記中継装置が、前記第２の携帯電話器からのバイブレータ動作要求に応じて前記第１の携帯電話器に前記振動コマンドを送信する振動コマンド送信手段を備えたことを特徴とする携帯電話システム。
【請求項２】
中継装置を介して通話先の携帯電話器と通話を行う携帯電話器であって、
通話中に前記通話先の携帯電話器のバイブレータを動作させる要求を前記中継装置に送信するバイブレータ動作要求手段を備えたことを特徴とする携帯電話器。
【請求項３】
前記バイブレータ動作要求手段が、ユーザに前記バイブレータ動作要求を入力させる入力手段と、前記入力手段により前記バイブレータ動作要求が入力されたとき、前記バイブレータ動作要求を前記中継装置に送信する送信手段とからなるものであることを特徴とする請求項２記載の携帯電話器。
【請求項４】
前記バイブレータ動作要求手段が、
通話中の携帯電話器における音声レベルを監視する音声レベル監視手段と、
前記音声レベル監視手段により監視された前記音声レベルが所定の閾値より大きいとき、前記バイブレータ動作要求を前記中継装置に送信する送信手段とからなるものであることを特徴とする請求項２記載の携帯電話器。
【請求項５】
振動コマンドを発信しうる中継装置を介して通話先の携帯電話器と通話を行う携帯電話器であって、
バイブレータと、
通話中に前記中継装置から送信されてきた前記振動コマンドに応じて前記バイブレータを動作させるバイブレータ制御手段と、
前記通話先の携帯電話器のバイブレータを動作させる要求を前記中継装置に送信するバイブレータ動作要求手段とを備えたことを特徴とする携帯電話器。
【発明の詳細な説明】
【０００１】
【発明の属する技術分野】
本発明は、携帯電話システムおよび携帯電話器に関するものである。
【０００２】
【従来の技術】
近年、携帯電話が急激に普及する背景において、ユーザは、本来の通話機能の他、電子メールの送受信や、ゲーム、インターネットへのアクセス、ネットショッピングなど、様々な形態で携帯電話を利用するようになっている。これらの多種多彩の利用形態に応じて、携帯電話器の機能も充実し、バイブレータ付きの携帯電話器はもとより、カメラ付き、ＧＰＳ機能付きの携帯電話器もテレビコマーシャルなどで話題を呼んでいる。
【０００３】
【発明が解決しようとする課題】
しかしながら、いくら機能が充実したとはいえ、携帯電話器の原点は人間同士間のコミュニケーションを取らせるところにある。人間同士のコミュニケーションは一般的には五感で行われているので、よりコミュニケーションを確かなものにするためには、携帯電話器の場合にも、聴覚（通話）に限らず、五感を活用したコミュニケーションができることが望まれる。そのため、携帯電話器の現有の機能を利用して、人間同士のコミュニケーションをより豊かにする様々な試みか行われている。
【０００４】
例えば、視覚によるコミュニケーションを可能にする例としてカメラ付きの携帯電話器を挙げることができる。携帯電話器に付属のカメラを利用して被写体を撮影して得た画像を他の携帯電話器に送信することによって視覚によるコミュニケーションが可能である。
【０００５】
触覚を利用した例としては、バイブレータ付きの携帯電話器を挙げることができる。ユーザは自分の携帯電話器の着信モード（着信時に音声か振動かを決定するモード）を「振動モード」に設定しておけば、携帯電話器の着信時にバイブレータが起動され、振動によってユーザに着信を知らせるようになっている。しかし、既に標準装備となっている携帯電話器のバイブレータは、音声の代わりに振動で着信を知らせ、着信時に周りの人に迷惑をかけないためにしか利用されておらず、人間同士、この場合通話者同士のコミュニケーション、例えば通話中の感情の表現などを図るためには利用されていない。
【０００６】
本発明は上記事情に鑑みてなされたものであり、携帯電話器のバイブレータを利用して、通話者同士間のコミュニケーションをより豊かにする携帯電話システムおよび携帯電話器を提供することを目的とするものである。
【０００７】
【課題を解決するための手段】
本発明の携帯電話システムは、第１の携帯電話器と、第２の携帯電話器と、前記携帯電話器間の通話を中継する中継装置とからなる携帯電話システムであって、
前記第１の携帯電話器が、バイブレータと、前記中継装置からの振動コマンドに応じて前記バイブレータを動作させるバイブレータ制御手段とを備え、
前記第２の携帯電話器が、前記第１の携帯電話との通話中に前記第１の携帯電話器のバイブレータを動作させる要求を前記中継装置に送信するバイブレータ動作要求手段を備え、
前記中継装置が、前記第２の携帯電話器からのバイブレータ動作要求に応じて前記第１の携帯電話器に前記振動コマンドを送信する振動コマンド送信手段を備えたことを特徴とするものである。
【０００８】
本発明の携帯電話器は、中継装置を介して通話先の携帯電話器と通話を行う携帯電話器であって、
通話中に前記通話先の携帯電話器のバイブレータを動作させる要求を前記中継装置に送信するバイブレータ動作要求手段を備えたことを特徴とするものである。
【０００９】
本発明の携帯電話器の前記バイブレータ動作要求手段は、ユーザに前記バイブレータ動作要求を入力させる入力手段と、前記入力手段により前記バイブレータ動作要求が入力されたとき、前記バイブレータ動作要求を前記中継装置に送信する送信手段とからなるものとすることができる。この場合において、前記バイブレータ動作要求手段は、通話先の携帯電話器のバイブレータを動作させるバイブレータ動作要求の送信をユーザの意志に委ねるものであり、「入力手段」は、ユーザが通話先の携帯電話器のバイブレータを動作させる意志を伝えることができるものであればよく、例えば、携帯電話器本体に設けられた「バイブレータ動作要求」ボタンなどとすることができる。
【００１０】
本発明の携帯電話器の前記バイブレータ動作要求手段は、通話中の携帯電話器における音声レベルを監視する音声レベル監視手段と、前記音声レベル監視手段により監視された前記音声レベルが所定の閾値より大きいとき、前記バイブレータ動作要求を前記中継装置に送信する送信手段とからなるものとすることができる。この場合において、前記バイブレータ動作要求手段は、通話先の携帯電話器のバイブレータを動作させるバイブレータ動作要求の送信を携帯電話器における音声レベルの大小により決定するものであり、携帯電話器のユーザが話す声の音声レベルが所定の閾値より大きいとき、自動的にバイブレータ動作要求を送信するように構成されている。「所定の閾値」は、ユーザによって設定されるものであってもよく、携帯電話器の出荷時などに予め設定された値であってもよい。出荷時に予め設定された前記閾値が、ユーザによってカスタマイズできることが好ましい。さらに、前記音声レベル監視手段により監視された音声レベルの平均値を算出して、この平均値に所定の音声レベル値を上乗せて得た値を前記「所定の閾値」とするようにしてもよい。
【００１１】
本発明の携帯電話器は、振動コマンドを発信しうる中継装置を介して通話先の携帯電話器と通話を行う携帯電話器であって、
バイブレータと、通話中に前記中継装置から送信されてきた前記振動コマンドに応じて前記バイブレータを動作させるバイブレータ制御手段と、前記通話先の携帯電話器のバイブレータを動作させる要求を前記中継装置に送信するバイブレータ動作要求手段とを備えたものであることが望ましい。
【００１２】
【発明の効果】
本発明の携帯電話システムおよび携帯電話器によれば、通話中の片方の携帯電話器が相手の携帯電話器のバイブレータを動作させるバイブレータ動作要求を中継装置に送信することにより、相手の携帯電話器が、中継装置によりバイブレータ動作要求に応じて送信してきた振動コマンドに従って備付けのバイブレータを動作させることができるので、携帯電話器のユーザが、ボタンを押下するなどをしてバイブレータ動作要求を入力することによって、怒り、喜びなどの感情を通話中の相手の携帯電話器のバイブレータを動作させることによって表現することが可能となり、通話者同士間のコミュニケーションをより豊かにすることができる。また、携帯電話器のユーザの話す声の音声レベルを監視し、音声レベルが所定の閾値より大きいとき、すなわち該ユーザの感情が高ぶっているとき、自動的にバイブレータ動作要求を送信するように構成された携帯電話器は、ユーザに操作を意識させることがなく、ユーザの感情を相手の携帯電話器のユーザに伝えることができる。
【００１３】
【発明の実施の形態】
以下、図面を参照して、本発明の実施形態について説明する。
【００１４】
図１は、本発明の実施形態となる携帯電話システムの構成を示すブロック図である。図示のように、本実施形態の携帯電話システムは、携帯電話器１と、携帯電話器１同士間の通信（通話を含む）を中継する基地局１００とからなるものであり、携帯電話器１と基地局１００とは、図示しない携帯通信網により接続される。
【００１５】
図２と図３は、携帯電話器１の概略構成を示すブロック図である。以下、図２と図３を用いて携帯電話器１の構成を説明する。なお、本発明の携帯電話器および携帯電話システムの主旨を分かりやすくするために、ダイヤルするためのボタンなど、携帯電話器の通常構成を省略して、本発明と関わりのある部分に重点をおいて説明を行う。
【００１６】
図２に示すように、図１に示す携帯電話システムにおける携帯電話器１は、基地局１００を介して他の携帯電話器との通信（通話を含む）を行うための通信部１０と、アドレスの登録や、ダイヤルなどをするための入力手段となる操作部１５と、操作部１５の操作および通信部１０を介して基地局１００から受信した操作指示に応じて携帯電話器１の全般的な動作を制御する制御部２０と、制御部２０の制御に従って動作するバイブレータ５０とを備え、スピーカや、マイクなど、携帯電話器の他の通常構成部分についてはここで省略する。操作部１５には、通話中の相手の携帯電話器のバイブレータを動作させることを要求するための図示しない「バイブ要求」ボタンが設けられている。
【００１７】
図３は、図２に示す携帯電話器１の制御部２０の構成を示すブロック図である。図示のように、携帯電話器１の制御部２０は、音声レベル監視部２６と、音声レベル閾値計算部２４と、バイブ要求出力部２２と、バイブレータ５０を制御するバイブレータ制御部３０とを有するものであり、バイブレータ制御部３０は、通話中において通信部１０を介して受信した基地局１００からの振動コマンドに応じてバイブレータ５０を動作させるものであり、音声レベル監視部２６は、携帯電話器１のユーザが話す声の音声レベルを監視して、音声レベル閾値計算部２４およびバイブ要求出力部２２に出力するものであり、音声レベル閾値計算部２４は、音声レベル監視部により監視された音声レベルの平均値を計算し、この平均値に所定の値（以下αとする）を加算して音声レベル閾値（以下閾値Ｋという）とする音声レベル閾値計算部２４と、バイブ要求出力部２２は、２つの場合において通話中の相手の携帯電話器のバイブレータを動作させる要求（バイブ要求）を通信部１０に出力して、基地局１００に送信するものである。この２つの場合とは、操作部１５に設けられた図示しない「バイブ要求」ボタンが押下された場合と、音声レベル監視部２６により監視された音声レベルが音声レベル閾値計算部２４により計算して得た閾値Ｋより大きい場合である。
【００１８】
基地局１００は、従来のように携帯電話器１同士の通信を中継すると共に、通話中のいずれかの携帯電話器１からの「バイブ要求」を受信したとき、その携帯電話器１の通話先の携帯電話器１に振動コマンドを送信する振動コマンド送信手段を有するものである。
【００１９】
図４は、通話中の携帯電話器１の通話中において制御部２０の動作を示すフローチャートである。図示のように、携帯電話器１の制御部２０は、通話中に４つの動作（Ｓ１０〜Ｓ１２、Ｓ２０、Ｓ３０〜Ｓ３８、Ｓ４０〜Ｓ３８）を並行して行う。ステップＳ１０〜Ｓ１２の動作は、制御部２０のバイブレータ制御部３０の動作であり、通話中に通信部１０を介して基地局１００から振動コマンドを受信すると（Ｓ１０：Ｙｅｓ）、バイブレータ制御部３０はこの振動コマンドに従って備付けのバイブレータ５０を動作させる（Ｓ１２）。ステップＳ２０の動作は、通話中において、制御部２０の音声レベル監視部２６の動作であり、音声レベル監視部２６は、携帯電話器１のユーザが話す声の音声レベルを監視し続けると共に、監視した音声レベルの値を音声レベル閾値計算部とバイブ要求出力部２２に出力する（Ｓ２０）。ステップＳ３０〜Ｓ３８の動作は、バイブ要求出力部２２がユーザの話す声の音声レベルに応じてバイブ要求を出力する動作であり、まず、音声レベル閾値計算部２４は、音声レベル監視部２６から続けて送信されてきた音声レベルの平均値を計算し、この平均値にαを加算して音声レベル閾値Ｋとしてバイブ要求出力部２２に出力する（Ｓ３０、Ｓ３２）。バイブ要求出力部２２は、音声レベル監視部２６から送信されてきた音声レベルの値と、音声レベル閾値計算部２４から送信されてきた音声レベル閾値Ｋと随時比較し、音声レベルが閾値Ｋより大きい時点で（Ｓ３４：Ｎｏ）、音声レベル閾値計算部２４に今まで計算してきた音声レベルの平均値および閾値Ｋをクリアさせる（Ｓ３６）と共に、通信部１０を介して基地局１００に通話先の携帯電話器のバイブレータを動作させるバイブ要求を送信する（Ｓ３８）。また、通話中において、操作部１５に設けられた図示しない「バイブ要求」ボタンが押下された（Ｓ４０：Ｙｅｓ）ときにも、バイブ要求出力部２２は、通信部１０を介して基地局１００に通話先の携帯電話器のバイブレータを動作させるバイブ要求を送信する（Ｓ３８）。
【００２０】
上述の４つの動作が、携帯電話器１の通話中に行われ続け（Ｓ５０：Ｎ０）、携帯電話器１による通話が終了すると共に終了する（Ｓ５０：Ｙｅｓ）。
【００２１】
なお、基地局１００は、通話中のいずれかの携帯電話器１からバイブ要求が送信されてきたときに、この携帯電話器１の通話先の携帯電話器１に振動コマンドを送信するように動作する。
【００２２】
このように、本実施形態の携帯電話システムによれば、携帯電話器１のユーザが、図示しない「バイブ要求」ボタンを押下することによって、通話先の携帯電話器のバイブレータを動作させることができ、自分の感情をより強く表現することができる。また、携帯電話器１は、ユーザの声の音声レベルが所定の閾値より大きくなったときにも、自動的にバイブ要求を送信して通話先の携帯電話器のバイブレータを動作させるようにしているので、通話先の相手にユーザの感情が高ぶっていることを知らせることができる。そうすることによって、携帯電話器の通話者同士間のコミュニケーションをより豊かなものとすることができる。
【００２３】
以上、本発明の望ましい実施形態について説明したが、本発明の携帯電話システムおよび携帯電話器は、それに限られるものではなく、本発明の主旨を変えない限り、様々な変更、増減を加えることができる。
【００２４】
例えば、図３に示す携帯電話器１の制御部２０は、音声レベル閾値計算部２４により音声レベルの平均値に基づいて算出した閾値Ｋをバイブ要求を送信するか否かの判断基準としているが、この閾値は、予設定された値を用いてもよいし、ユーザに設定させて、設定された値を用いるようにしてもよい。
【００２５】
また、通話中に相手のバイブレータを動作させるか否かのモードの設定を可能にし、「相手のバイブレータを動作させる」ように設定された場合にのみ、通話中において、「バイブ要求」ボタンが押下されたときや、音声レベルが所定の閾値を超えたときにバイブ要求を送信するようにしてもよい。
【図面の簡単な説明】
【図１】本発明の実施形態となる携帯電話システムの構成を示すブロック図
【図２】図１に示すシステムにおける携帯電話器１の構成を示すブロック図
【図３】図２に示す携帯電話器１の制御部２０の構成を示すブロック図
【図４】図３に示す携帯電話器１の制御部２０の動作を示すフローチャート
【符号の説明】
１　　携帯電話器
１０　　通信部
１５　　操作部
２０　　制御部
２２　　バイブ要求出力部
２４　　音声レベル閾値計算部
２６　　音声レベル監視部
３０　　バイブレータ制御部
５０　　バイブレータ
１００　　基地局
【図１】
2004072292.tif 000003
【図２】
2004072292.tif 000004
【図３】
2004072292.tif 000005
【図４】
2004072292.tif 000006